(57)【特許請求の範囲】
【請求項１】
左右カップとバック部を有するブラジャーにおいて、前記バック部はその下辺部にパイル編組織による突起状構造を有する伸縮性編地のヘムで構成していることを特徴とするブラジャー。
【請求項２】
左右カップとバック部を有するブラジャーにおいて、前記バック部の上辺部位・中間部位・下辺部位はその着用圧をそれぞれ中・弱・強としていることを特徴とする請求項１に記載のブラジャー。
【請求項３】
左右カップとバック部を有するブラジャーにおいて、前記バック部の下辺部位は、伸縮性編地の伸縮力を他の部位の伸縮力よりも大とす
ることで着用圧を強としていることを特徴とする請求項１に記載のブラジャー。
【請求項４】
左右カップとバック部を有するブラジャーにおいて、前記バック部の上辺部位は、伸縮性編地に伸縮性テープ生地を接合したことを特徴とする請求項２に記載のブラジャー。
【請求項５】
左右カップ部は表地と裏地とで構成され、該左右カップの周辺の湾曲部における表地と裏地との間に、ワイヤーを封入した袋テープが備えられ、該袋テープは、前記表地または裏地のいずれか一方の生地に接合され、他方の生地とは分離されていることを特徴とする請求項１〜請求項４のいずれかに記載のブラジャー。
【発明の詳細な説明】
【０００１】
【発明の属する技術分野】
本発明は、ブラジャーの着用圧力を軽減することにより身体への食込みを防止し、乳房の保形機能を確保するとともに着用時のソフト感が良好で且つ動き易い機能を持たせ、かつ着用時のずり上がりを防止する機能をもったブラジャーを提供するものである。
【０００２】
【従来の技術】
従来、ブラジャ−等のバック部分には、伸縮性のあるレース等の表地と該レース生地の伸縮力を補う為にさらに伸縮力の強い裏地を合わせた２重構造の構成とし、前記バック部の上辺部および下辺部に伸縮性のテープ生地を縫着したものや、着用時の肌への食込みを防止するために伸縮性のある一重のヘムパワーネット等を用いたものなどで構成されている。
【０００３】
【発明が解決しようとする課題】
然しながら上記従来型バック部の構造の場合、裏地の過度のパワーによって締め付け力が大きくなり、さらに上辺部および下辺部の伸縮性テープ生地の介在により、着用圧力が増大することにより身体への食込みが生じ、着用感が損なわれるといを欠点があった。
そこでレース等の表生地に対し伸縮パワーの小さい伸縮性裏地を用いてソフトな締め付け力を確保し、さらに身体への食込みを発生させる原因となる下辺部の伸縮性テープ生地を除去したものが考案されている。しかしながら、下辺部の伸縮性テープ生地を除去すると着用中に下辺部のずり上がりが発生する欠点が生ずる。
【０００４】
【課題を解決するための手段】
本発明は上記の課題を解決するために、左右カップとバック部を有するブラジャーにおいて、前記カップ周りは非伸縮性生地で構成し、前記バック部は下辺部位に所定巾のパイル編組織による突起帯を有する伸縮性編織地のヘムで構成しているとともに当該バック部の上辺部位・中間部位・下辺部位はその着用圧をそれぞれ中・弱・強としていることを特徴とするものである。
【０００５】
ここで非伸縮性生地とは、該生地の構成糸条等が伸縮しないことであり、生地の編目・織目等は拡幅伸張することは許容するものである。このように、左右カップ周りは非伸縮性生地で構成することによって、乳房の補正機能は確保され、一方、柔軟性に富んだ肌触りの軟らかな一重のヘム編織地を用いているバック部の上辺部位・中間部位・下辺部位はその着用圧をそれぞれ中・弱・強としていることにより、着用者の身体に必要以上の圧力を加えずに下辺部においての安定感を向上させ、上辺部位の身体に対する食込みを減少させソフト感を向上させている。
【０００６】
しかしながら、このような柔軟性に富んだ肌触りの軟らかな一重のヘム編織地を用いている商品に一般的に見られるように、滑りやすいことが原因となり着用時下辺部がずり上がり、その結果着用性能を損なうという欠点が生ずる。このために本発明においては、一重のヘム編織地下辺部内側に所定の巾の柔軟性に富んだ突起帯が設けてあり、肌への食込み等の無い好ましい着用感を維持しつつ、ずり上がりを防止させている点が大きな特徴である。
【０００７】
ここで、伸縮性編織地のヘムとしては、パワーネット、レース等を含む概念であり、弾性糸条、編目（織目）密度、編組織などは適宜選択でき、さらにハーフ編組織等のトリコット経編地のほかラッセル編地等で構成できる。
さらに、ヘム編織地下辺部内側に所定の巾の柔軟性に富んだ突起状領域を設けてあり、この突起状領域は良好な肌触りを阻害しないことが必要であり、下辺部位の内側にウーリー加工ナイロン糸を挿入し、パイル状編構造としている。
【０００８】
前述したようにバック部の上辺部位・中間部位・下辺部位はその着用圧をそれぞれ中・弱・強としているが、その方法は本発明の実施例としては、上辺部位については伸縮性に富んだテープ生地の巾または該テープ生地を構成する弾性糸の太さを変化させたものを接合してその着用圧を相対的に中としており、中間部位については伸縮性編織地の下辺部位以外の領域を構成する弾性糸の太さを変化または本数を増減させ相対的に着用圧を弱とし、さらに下辺部位は弾性糸の太さを変化または本数を増減させ相対的に着用圧を強としている。
【０００９】
左右カップ周辺部を構成する土台部の中心部および脇の一部は、レース等の表地と伸縮性の無いマーキセット等裏地から構成され、両カップの位置を固定しバストの保形性を保つ手段としている。一方該左右カップ部についてはレース等からなる表地と不織布等からなる裏地から構成される。また該カップ部の周辺の湾曲部における表地と裏地との間に、ワイヤーを封入した袋テープが備えられ、該袋テープは、前記表地又は裏地のいづれか一方の生地に接合され、他方の生地とは分離されている。このため、着用時のワイヤーによる痛みが大幅に軽減されるとともに表地が裏地の動き（乳房の動き）に影響されることがなくカップによる保形成がさらに向上する。
【００１０】
【発明の実施の形態】
以下、本発明の実施例を図例に基づいて説明する。
本発明に係るブラジャー１は、左右カップ２Ｌ，２Ｒと左右バック部３Ｌ，３Ｒを有すると共に、左右カップ２Ｌ，２Ｒの上辺部分と左右のバック部３Ｌ，３Ｒの上辺部分にわたる左右の肩紐４Ｌ，４Ｒを備えている。
左右カップ２Ｌ，２Ｒ周りには非伸縮性生地で構成し、バック部３Ｌ，３Ｒは伸縮性編織地に突起状帯を有するヘムで構成されている。
【００１１】
図６で示すように左右カップ２Ｌ，２Ｒは表地５と裏地６とから構成されていて、裏地６はある程度の厚みを有する例えばポリウレタンフォーム等のパット生地で構成され、その肌側面には不織布等を接合したものが望ましい。
【００１２】
表地５は例えばレース生地等によって構成されており、その上縁が裏地６に縫着等によって接合されており、左右カップ２Ｌ，２Ｒの周辺の湾曲部における表地５と裏地６との間にワイヤーを封入した袋テープが備えられ、該袋テープ１１は、前記表地５又は裏地６のいづれか一方の生地、図４では裏地６の土台部分における非伸縮性生地６Ａに縫着等によって接合１２されていて他方の生地とは分離され、カップ周辺のアンダー部分における土台部は表地５のカップ下側５Ａと裏地６のカップ下側６Ａと縫着等によって接合されている。さらに図１で示すように左右カップ２Ｌ，２Ｒはその中央部の谷間において互いに連結１４されている。
【００１３】
ワイヤーを装着するブラジャーの場合、ワイヤー１０を封入した袋テープ１１が肌に直接ふれることはなく、土台生地６Ａの平坦面が肌にソフトに触れるのとによって痛みが軽減され、更に、裏地６の挙動（乳房の挙動）が表地５に伝播されることも抑制されるとともに、他方の生地に対して袋テープ１１が分離されていることから、乳房等のムレも少なくて着用感が向上するだけでなく洗濯後の乾燥も速くなる。
【００１４】
バック部３Ｌ，３Ｒはヘム仕様の伸縮性編織地で構成されており、その上辺部位１７Ｌ，１７Ｒ、中間部位１８Ｌ，１８Ｒ，下辺部１９Ｌ，１９Ｒの着用圧は中・弱・強で構成されている。
【００１５】
着用圧は、ブラジャーの着け心地、運動のし易さ、ブラジャーの位置ずれのし難さなどを考慮すると、当該着用圧は上辺部位では３〜３０ｇ／ｃｍ２、中間部位では２〜２０ｇ／ｃｍ２、下辺部位では４〜４０ｃｍ２であり、さらに好ましくは力の比として上辺部位、中間部位、下辺部位が４：３：２である事が望ましい。
【００１６】
バック部３Ｌ，３Ｒの上辺部位、中間部位、下辺部位の着用圧が４：３：２であることを実現する手段としては、編み込まれている弾性糸の太さ（実施例では１４０〜５６０デニール）を変える方法、もしくは編み込み本数を変える方法、あるいは編組織を変える方法等がある。
【００１７】
また、下辺部位の内側にはずり上がりを防止するための突起状領域が生地と一体に設けてある。すなわち、図２、図３、図４、図５で示すように下辺部位１９Ｌ，１９Ｒには伸縮性パワーを強とするための太目の弾性糸が編み込まれていると共に、突起状領域２０を形成するためのパイル状編目を構成する挿入糸２２Ｌ，２２Ｒが編み込まれている。
【００１８】
該挿入糸２２Ｌ，２２Ｒは前記ヘム仕様の伸縮性編織地の下辺部位１９Ｌ，１９Ｒの編成ループに対し所望の編目数毎に編み込まれ、前記ヘム仕様の伸縮性編織地に係止されることにより嵩だかのパイル状編目が形成される。なお該挿入糸２２Ｌ，２２Rは伸縮性を有し肌触りのよい材質が好ましく、例えばウーリーナイロンなどでも良く、糸の太さおよび編み込みのピッチあるいはループ長などを変更することにより所望の嵩だか性を得る事が出来る。
【００１９】
本発明の実施例では、突起状領域の巾は１８ｍｍであり、伸縮性編織地の編目１２目毎に１回の割合で係止させ編み込むことによってパイル状突起を形成するものである。さらにこのパイル状突起の高さは、ずりあがり防止効果および着用時の肌触りに影響するが、実施例では０．４ｍｍとすることで最も良い効果が得られる。これらは所望の値に変更出来るものとするが、突起状領域の巾は５ｍｍ〜５０ｍｍ、伸縮性編織地への編目係止は２〜２０目毎である事が望ましい。
【００２０】
また、上辺部位１７Ｌ，１７Ｒについてはスパンテープ等の伸縮性テープ生地２１Ｌ，２１Ｒを図３、図４で示すように縁取り縫着することで着用圧中程度とし、肌に対する食込み、めくれ現象を防止しつつ肩紐４Ｌ，４Ｒの確実な接合を図っているのである。
【００２１】
また、以上の実施形態等でいうブラジャーとは、デコレートブラジャー、プッシュアップブラジャー、を始めコースレット、ボディスーツ、ケピエール等の女性用衣類のブラジャー部分を含むものである。
【００２２】
【発明の効果】
以上、本発明によれば、着用時のブラジャーとしての補整機能は確保しつつ着用圧を軽減して、ずりあがりを防止しソフト感、肌触り、機能性の良いブラジャーを提供できる。
【図面の簡単な説明】
【図１】本発明に係るブラジャーの正面図である。
１はブラジャー、２Ｌ，２Ｒは左右カップ、３Ｌ，３Ｒは左右バック部、４Ｌ，４Ｒは左右の肩紐。
【図２】バック部３Ｌ，３Ｒの一部省略の正面図である。
１７Ｌ，１７Ｒは上辺部、１８Ｌ，１８Ｒは中間部、１９Ｌ，１９Ｒは下辺部である。
【図３】図２のＡ−Ａ断面斜視図である。
２１Ｌ，２１Ｒは上辺部の伸縮性テープ生地、２２Ｌ，２２Ｒはパイル状突起を構成する糸条である。
【図４】図２の他の実施例におけるＡ−Ａ断面斜視図である。
２１Ｌ，２１Ｒは上辺部の伸縮性テープ生地、２２Ｌ，２２Ｒはパイル状突起を構成する糸条である。
【図５】図２の下辺部位を拡大模式化した部分斜視図である。
３L,3Rはバック部、１９L、１９Ｒは下辺部位の着用圧の強い領域、２０L、２０Ｒは突起状帯領域、２２Ｌ，２２Ｒはパイル状突起を構成する糸条である。
【図６】ブラジャーのカップ部の縦断面図である。
２Ｌ，２Ｒは左右カップ，５は表地、６は裏地、６Aは裏地，１０はワイヤー、１１は袋状テープ生地である。
【選択図】図１
【図１】
0003725752.tif 000002
【図２】
0003725752.tif 000003
【図３】
0003725752.tif 000004
【図４】
0003725752.tif 000005
【図５】
0003725752.tif 000006
【図６】
0003725752.tif 000007